(57)【要約】【課題】  地質状態の全体像を容易に把握することができ、多数枚の図面を必要とせず、携帯性に優れ、地質調査結果を施工時に容易に視認し得る地質状態の表示物を提供する。【解決手段】  地質状態の表示物であって、透明または半透明な板状物により構成されてなるケーシングと、地質の程度に応じて予め個々に色分けされた透明または半透明な複数のサイコロ状地質表示物とを有し、ケーシングを構成する天板の一部または全部は、地質調査点に応じて区分けされてなり、上記天板の区分けした箇所において、個々に色分けされたサイコロ状地質表示物が、ケーシングの天板から底板方向に、地質調査点の深さ方向に対してなされた地質調査結果に対応して配置されてなる地質状態立体表示物である。【選択図】  図７
2010122293.tif 000002
【特許請求の範囲】
【請求項１】
地質状態の表示物であって、
透明または半透明な板状物により構成されてなるケーシングと、
地質の程度に応じて予め個々に色分けされた透明または半透明な複数のサイコロ状地質表示物とを有し、
前記ケーシングを構成する天板の一部または全部は、地質調査点に応じて区分けされてなり、
前記天板の区分けした箇所において、前記個々に色分けされたサイコロ状地質表示物が、ケーシングの天板から底板方向に、前記地質調査点の深さ方向に対してなされた地質調査結果に対応して配置されてなる
ことを特徴とする地質状態立体表示物。
【請求項２】
前記ケーシングを構成する板状物の一部が、ケーシングを構成する他の板状物と異なるものである請求項１に記載の地質状態立体表示物。
【請求項３】
前記ケーシングの天板または底板に、方位を示す記号が刻印されてなる請求項２に記載の地質状態立体表示物。
【請求項４】
前記複数のサイコロ状地質表示物が、土壌中または地下水中に含まれる有機化合物の量に応じて個々に色分けされてなるものである請求項１〜請求項３のいずれか１項に記載の地質状態立体表示物。
【請求項５】
前記複数のサイコロ状地質表示物が、土壌中または地下水中に含まれる重金属の量に応じて個々に色分けされてなるものである請求項１〜請求項３のいずれか１項に記載の地質状態立体表示物。
【請求項６】
地質改良工事に用いられる請求項１〜請求項５のいずれか１項に記載の地質状態立体表示物。
【発明の詳細な説明】
【技術分野】
【０００１】
本発明は、特定物質の土壌中または地下水中への混入量や地盤の強度といった地質状態を示す表示物に関するものである。
【背景技術】
【０００２】
近年、土地有効利用の観点から、都市部に近接する工場や油槽所、あるいは市街地に位置するガソリンスタンド等の跡地を、宅地等に転用することが行われるようになっている。
【０００３】
しかしながら、これ等の土地は、工場跡地等である性質上、その工場等の事業内容に応じ、土壌中または地下水中に有機化合物や重金属等が混入していたり、地盤が軟弱であったりする場合がある。近年においては、土壌汚染対策法等により、土壌や地下水に含まれる特定の有機化合物や重金属を所定濃度以下にすることが求められるようになっており、このような法規制に対応するためにも、上記工場跡地等を宅地等に転用するには、対象となる土地の地質を事前調査し、必要に応じて適切な地質改良工事（土壌の浄化工事や地下水浄化工事または地盤改良工事等）を施工する場合がある（例えば、特許文献１参照）。
【０００４】
例えば、特定の有機化合物を使用していた工場等の跡地である、図９の上図に示すような土地の有機化合物混入量の事前調査を行うにあたっては、対象となる土地の地質調査点（図９においては、調査点ａ〜ｄ）を特定したのち、各調査点において、所定の深さ毎（図９においては、深さ２．５ｍまで０．５ｍ毎）に試料となる土壌を採取し、採取した試料中における特定の有機化合物の量をクロマトグラフィー等により分析する方法が採られている。この分析結果は、測定対象物質毎に、図９（１）〜（５）に示すような図により示され、分析値が基準値を上回っている場合は、土壌の浄化工事が必要となる場合がある。
【０００５】
しかしながら、一般に、地権者の多くは、法規制の内容に精通していない上に、土木、建築関係者でないことから、上記多数枚からなる図面にて土壌状態の全体像や工事の必要性を把握することが容易でない。
【０００６】
また、土木、建築関係者であっても、上記多数枚からなる図面を現場で確認し施工する場合に、施工時における天候等によって、あるいは経験の不足により、記載内容を十分に確認できなかったり、記載内容を誤認する場合が考えられる。
【０００７】
そして、このような事態は、土壌中における特定物質の量を測定して、土壌浄化工事の要否を検討したり施工する場合のみならず、地下水中における特定物質の量を測定して、地下水浄化工事の要否を検討したり施工する場合や、地盤の強度を測定して、地盤改良工事の要否を検討したり施工する場合等においても、同様に生じ得る。
【特許文献１】特開２００２−３５５６６４号公報
【発明の開示】
【発明が解決しようとする課題】
【０００８】
このような状況下、本発明は、地質状態の全体像を容易に把握することができ、多数枚の図面を必要とせず、携帯性に優れ、地質調査結果を施工時に容易に視認し得る地質状態の表示物を提供することを目的とするものである。
【課題を解決するための手段】
【０００９】
上記技術課題を解決すべく、本発明者が鋭意検討を行ったところ、地質状態の表示物として、透明または半透明な板状物により構成されてなるケーシングと、地質の程度に応じて予め個々に色分けされた透明または半透明な複数のサイコロ状地質表示物とを有し、前記ケーシングを構成する天板の一部または全部は、地質調査点に応じて区分けされてなり、前記天板の区分けした箇所において、前記個々に色分けされたサイコロ状地質表示物が、ケーシングの天板から底板方向に、前記地質調査点の深さ方向に対してなされた地質調査結果に対応して配置されてなる地質状態立体表示物により、前記課題を解決し得ることを見出し、本発明を完成するに至った。
【００１０】
すなわち、本発明は、
（１）透明または半透明な板状物により構成されてなるケーシングと、
地質の程度に応じて予め個々に色分けされた透明または半透明な複数のサイコロ状地質表示物とを有し、
前記ケーシングを構成する天板の一部または全部は、地質調査点に応じて区分けされてなり、
前記天板の区分けした箇所において、前記個々に色分けされたサイコロ状地質表示物が、ケーシングの天板から底板方向に、前記地質調査点の深さ方向に対してなされた地質調査結果に対応して配置されてなる
ことを特徴とする地質状態立体表示物、
（２）前記ケーシングを構成する板状物の一部が、ケーシングを構成する他の板状物と異なるものである上記（１）に記載の地質状態立体表示物。
（３）前記ケーシングの天板または底板に、方位を示す記号が刻印されてなる上記（２）に記載の地質状態立体表示物、
（４）前記複数のサイコロ状地質表示物が、土壌中または地下水中に含まれる有機化合物の量に応じて個々に色分けされてなるものである上記（１）〜（３）のいずれか１項に記載の地質状態立体表示物、
（５）前記複数のサイコロ状地質表示物が、土壌中または地下水中に含まれる重金属の量に応じて個々に色分けされてなるものである上記（１）〜（３）のいずれか１項に記載の地質状態立体表示物、および
（６）地質改良工事に用いられる上記（１）〜（５）のいずれか１項に記載の地質状態立体表示物を提供するものである。
【発明の効果】
【００１１】
本発明によれば、地質状態の表示物として、ケーシングとサイコロ状地質表示物とを有する地質状態立体表示物を提供することにより、多数枚の図面を必要とせず、その携帯性を向上させることができるとともに、上記ケーシングおよびサイコロ状地質表示物を透明または半透明なものにより構成し、上記サイコロ状地質表示物を地質の程度に応じて予め個々に色分けした上で、地質調査結果に対応するようにケーシング内に配置することにより、地質状態の全体像を容易に把握することができ、地質調査結果を施工時等に容易に視認することができる。
【発明を実施するための最良の形態】
【００１２】
本発明の地質状態立体表示物は、透明または半透明な板状物により構成されてなるケーシングと、地質の程度に応じて予め個々に色分けされた透明または半透明な複数のサイコロ状地質表示物とを有し、前記ケーシングを構成する天板の一部または全部は、地質調査点に応じて区分けされてなり、前記天板の区分けした箇所において、前記個々に色分けされたサイコロ状地質表示物が、ケーシングの天板から底板方向に、前記地質調査点の深さ方向に対してなされた地質調査結果に対応して配置されてなることを特徴とするものである。
【００１３】
本発明において、地質状態立体表示物を構成するケーシングは、透明または半透明な板状物により構成されてなるものである。
【００１４】
ケーシングの形状は、内部に後述するサイコロ状地質表示物を配置し得るものであれば特に制限されないが、図１（ａ）に示すような直方体状のものか立方体状のものであることが好ましい。ケーシング１の形状が直方体状または立方体状である場合、その内部寸法は、縦・横・高さ（ケーシングの深さ・ｄ方向）ともに２〜１００ｃｍ程度であることが好ましく、直方体状である場合は、縦：横：高さ＝５：１〜５０：１〜２０であることがより好ましく、上記寸法を有することにより、得られる表示物の携帯性を向上することができる。なお、上記範囲を満たす限り、ケーシングを構成するいずれの辺の長さを縦方向・横方向・高さ方向の長さであると定めてもよい。
【００１５】
また、後述するように、上記ケーシングを構成する天板２上に、地質調査点に対応する点が規定され、上記ケーシングの高さ（ケーシングの深さ）ｄ方向に、各地質調査点において深さ方向になされた地質調査結果を表示することから、表示する土地の広さと地質等の調査がなされた土地の深さとを考慮し、表示縮尺を決定した上で、ケーシングの寸法を決定することが好ましい。
【００１６】
ケーシングを構成する透明または半透明な板状物（図１（ａ）に示す天板２や底板４等）は、その厚みが０．１〜１０ｍｍ程度であることが好ましく、上記厚みが０．１ｍｍ未満であると、ケーシング１に実用上必要となる強度を付与することができず、上記厚みが１０ｍｍを超えると、ケーシング１内部に配置されるサイコロ状地質表示物の視認性が低下する。ケーシング１を構成する板状物は、その入手の容易性や、得られるケーシングの透明性および強度を考慮した場合、アクリル樹脂等からなるものであることが好ましい。
【００１７】
本発明の地質状態立体表示物は、上記ケーシングとともに、複数のサイコロ状地質表示物を有している。
【００１８】
本発明において、「地質」とは、土壌質または地下水質を意味し、土壌質および地下水質としては、土壌中の特定物質含有量や、土壌中の特定物質溶出量（土壌中に含まれる特定物質の溶媒溶出量）や、地下水中の特定物質の量や、地盤の強度等を挙げることができる。前記特定物質としては、例えば、土壌汚染対策法に規定されている有機化合物や重金属等を挙げることができ、具体的には、四塩化炭素、ベンゼン、有機リン化合物等を挙げることができ、上記重金属としては、例えば、カドミウム、六価クロム、鉛、砒素等を挙げることができる。
【００１９】
そして、本発明において、地質状態立体表示物を構成する複数のサイコロ状地質表示物は、立方体形状を有し、地質の程度に応じて予め個々に色分けされた透明または半透明状のものである。
【００２０】
図１（ｂ）に、着色されたサイコロ状地質表示物３と、無着色のサイコロ状地質表示物３’を例示する。
サイコロ状地質表示物の色分け数は、表示対象となる土壌中または地下水中における特定物質の量の範囲や地盤強度範囲等の区分数に応じて適宜決定すればよい。例えば、サイコロ状地質表示物の表示対象が、土壌中に含まれる特定物質を水等の溶媒で抽出した際の溶出量（以下、適宜、土壌溶出量という）である場合、上記特定物質をベンゼンとし、その土壌溶出量Ｘｍｇ／Ｌ未満を、土壌浄化工事等が不要な量であるとして「無色（無着色）」で表示し、ベンゼンの土壌溶出量Ｘｍｇ／Ｌ以上Ｙｍｇ／Ｌ未満を、土壌浄化工事等は不要であるが、管理を要する量であるとして「黄色」で表示し、ベンゼンの土壌溶出量Ｙｍｇ／Ｌ以上を、土壌浄化工事等が必要な量であるとして「赤色」で表示する。サイコロ状地質表示物の構成材料としては、アクリル樹脂等の透明性の高い材料であることが好ましい。
【００２１】
また、サイコロ状地質表示物３、３’の１辺の長さは、５〜１００ｍｍであり、ケーシング１の縦・横・高さのうちの最短の寸法と比較して、１／２０〜１／１であることが好ましく、サイコロ状地質表示物３、３’の１辺の長さが上記の範囲にあることにより、得られる地質状態立体表示物の視認性を向上することができる。
【００２２】
上述したように、ケーシング１の寸法は、地質調査した土地の広さと深さに対応して決定されるものであり、また、後述するように、サイコロ状地質表示物３、３’は、地質調査した地点における深さ方向の地質を色分けして表示するものであることから、サイコロ状地質表示物３、３’の１辺の長さは、地質調査対象となる土地の広さと地質調査した土地の深さに対応して、一定の広さと深さを表示し得るように、表示縮尺を考慮して決定することが好ましい。この場合、サイコロ状地質表示物の１片が表す長さは、必ずしも同じ長さである必要はなく、例えば、１辺が１ｃｍのサイコロ状地質表示物において、縦横方向の長さ１ｃｍが土地の縦横の長さ１ｍを表示するものであり、高さ方向の長さ１ｃｍが土地の深さ方向の長さ０．５ｍを表示するものであってもよい。
【００２３】
図２（ａ）に、地質測定対象となる、概略縦５０ｍ×横６０ｍの土地と、この土地における地質調査点（図２（ａ）にａ〜ｄで示す点）を例示するとともに、図２（ｂ）に、この土地の地質状態を表示するために用いるケーシング１を例示する。なお、図２（ｂ）に示すケーシング１は、その内部寸法が、縦５ｃｍ×横６ｃｍ×高さ（深さ）５ｃｍとなるように作製したものである。
【００２４】
図２（ｂ）に示すように、本発明においては、ケーシング１を構成する天板２の一部（または場合により全部）は、図２（ａ）に示す地質調査点（調査点ａ〜ｄ）に対応して、複数の区画に区分けされてなる。
【００２５】
図２（ｂ）の例においては、天板２上の縦横１ｃｍの長さが、それぞれ、図２（ａ）に示す土地の縦横１０ｍの長さに相当し、天板２上において、縦横それぞれ１ｃｍ間隔で区分けした場合に、地質調査点ａに対応する点を含む区画を区画Ｉ、地質調査点ｂおよび地質調査点ｃに対応する点を含む区画を区画II、地質調査点ｄに対応する点を含む区画を区画IIIとした。
【００２６】
上記各区画は、地質調査点に対応する点を少なくとも１点含んでいればよく、図２（ｂ）に示す区画IIのように、地質調査点を２点以上含んでいてもよい。また、後述するように、上記各区画にサイコロ状地質表示物が配置されることから、相対するサイコロ状地質表示物の面形状を考慮して、各区画の形状も、正方形状とすることが好ましい。
【００２７】
本発明においては、上記天板２上の各区画（図２の例では、区画Ｉ〜III）において、上記個々に色分けされたサイコロ状地質表示物が、ケーシングの天板から底板方向に、地質調査点の深さ方向になされた地質調査結果に対応して配置される。
【００２８】
図３左側の（１）〜（５）図は、地質調査点ａにおいて、ベンゼンの土壌溶出量を深さ０．５ｍ間隔で２．５ｍまで測定し、得られた結果を従来の例により表示したものである。
【００２９】
一方、図３の右側に例示する、サイコロ状地質表示物３、３’は、縦、横、高さがいずれも１ｃｍのものであり、ケーシング内に配置したときに、サイコロ状地質表示物３、３’の縦および横方向の長さ１ｃｍが、対応する土地の１０ｍの長さに相当し、高さ（深さ）方向の長さ１ｃｍが、０．５ｍの深さに相当するものである。
【００３０】
図３の例においては、土壌浄化工事が必要となるベンゼンの土壌溶出量を０．１０ｍｇ／Ｌ以上であると規定し、ベンゼンの土壌溶出量が０．１０ｍｇ／Ｌ以上である場合に、図３では斜線を付した赤色のサイコロ状地質表示物３を用いるとともに、地質改良工事が不要なベンゼン土壌溶出量を０．０１ｍｇ／Ｌ未満であると規定し、ベンゼンの土壌溶出量が０．０１ｍｇ／Ｌ未満である場合に、図３で斜線を付していない無色（無着色）のサイコロ状地質表示物３’を用いている。
【００３１】
図４に示すように、上記サイコロ状地質表示物３、３’は、区画Ｉ〜区画IIIに対応するように、ケーシング１の天板２から底板４方向に配置される。
【００３２】
図４において、区画IIには、２つの地質調査点（調査点ｂ、ｃ）に対応する点が含まれ、上記地質調査点においては、同一の深さであっても異なる地質調査結果が得られる場合があるが、このような場合、より厳しい結果（よりベンゼン土壌溶出量の多い分析結果）を採用して、ケーシング内に対応するサイコロ状地質表示物の色を決定すればよい。例えば、同一の深さであっても、調査点ｂではベンゼンの土壌溶出量として、土壌浄化工事が必要な基準値として規定した０．１ｍｇ／Ｌを下回る０．０９ｍｇ／Ｌが検出され、調査点ｃでは同基準値として規定した０．１０ｍｇ／Ｌを上回る０．１１ｍｇ／Ｌが検出された場合、地質調査点ｃの結果を採用し、ケーシング内に赤色のサイコロ状地質表示物３を配置すればよい。
【００３３】
サイコロ状地質表示物３、３’は、ケーシング１内に隙間無く配置してもよいし、図４において図示しない間仕切り板を適宜設けつつ、所望の箇所（地質調査結果を表示したい箇所）のみに配置してもよい。上記間仕切り板も、アクリル樹脂等の透明性の高い材料からなることが好ましい。
【００３４】
なお、各分析値及び調査対象の土地におけるベンゼンの使用状況等を勘案して、地質調査した区画以外の区画の地質状態をサイコロ状地質表示物にて表示してもよい。
【００３５】
上述の例においては、土壌質の調査結果に基づいて、ケーシング内にサイコロ状地質状態表示物を配置したが、同様の方法により、地下水質の調査結果に基づいて、ケーシング内にサイコロ状水質表示物を配置してもよく、両調査が同種の対象を測定したものである場合（例えば、ベンゼンの量を測定したものである場合）等は、適宜、両調査結果を反映してケーシング内にサイコロ状地質表示物を配置してもよい。
【００３６】
本発明の地質状態立体表示物においては、上記ケーシングを構成する板状物の一部が、ケーシングを構成する他の板状物と異なるものであることが好ましく、このように構成することにより、ケーシングの天地を容易に認識することが可能になる。
【００３７】
ケーシングを構成する板状物の一部が他の板状物と異なる例としては、ケーシング１の天板２または底板４を構成する板状物が、ケーシング１を構成する他の板状物とは異なる色で着色されてなる態様を挙げることができる。この場合、天板２または底板４を構成する板状物の色としては、ケーシング内部の視認性を妨げないように、水色等の薄い色を有するものを用いるとともに、他の側面を構成する板状物が無着色のものであることが好ましい。
【００３８】
また、ケーシングを構成する板状物の一部に、天板２あるいは底板４に相当する板状物がいずれであるかを特定する矢印等を付した態様であってもよい。
【００３９】
さらに、図５に示すように、ケーシング１を構成する天板２または底板４に、方位を示す記号５を刻印する態様を挙げることができ、この記号５を刻印することによって、ケーシング１の天板２または底板４の位置を容易に特定することが可能となるとともに、対応する土地の方角を容易に知ることができる。
【００４０】
図６（ａ）〜（ｄ）に、上記記号５の例を示す。この記号は、ケーシング内部に配置されたサイコロ状地質表示物の視認性を妨げないように、図５に示すように、天板２または底板４の角部等に付すことが好ましい。
【００４１】
図７に、本発明に係る地質状態立体表示物６の例を示すが、本発明の地質状態立体表示物６において、サイコロ状地質表示物３、３’が表示する地質としては、特に限定されず、土壌中または地下水中に含まれる有機化合物の量（例えば、四塩化炭素、ベンゼン、有機リン化合物等の量や総炭化水素量）、重金属の量（例えば、鉛やカドミウム等の量）、あるいは地盤の強度等を挙げることができる。
【００４２】
本発明によれば、地質状態の表示物として、ケーシングとサイコロ状地質表示物とを有する地質状態立体表示物を提供することにより、多数枚の図面を必要とせず、その携帯性を向上させることができる。また、上記ケーシングおよびサイコロ状地質表示物を透明または半透明なものにより構成し、上記サイコロ状地質表示物を地質の程度に応じて予め個々に色分けした上で、地質調査結果に対応するようにケーシング内に配置することにより、地質状態の全体像を容易に把握することができ、地質調査結果を施工時等に容易に視認することができる。
【００４３】
このため、本発明に係る地質状態立体表示物は、法規制内容や土木、建築技術に精通していない者（地権者等）に対して地質状態を説明したり、地質改良工事時において、工事担当者が地質調査結果を確認する際に好適に用いることができる。
【００４４】
本発明において、地質状態立体表示物は、例えば、以下のようにして作製することができる。
【００４５】
先ず、ケーシング予備成形物として、底板および側板に相当する複数の透明なアクリル板を接着剤等で接合して内部に直方体状または立方体状の空間を有する枡状物を形成した後、この枡状物内の空間を必要に応じて透明な間仕切り板で間仕切りしたものを作製する。
【００４６】
次いで、天板に相当するアクリル板の一部または全部において、地質調査点に対応する点を少なくとも１点含むように、複数の区画に区分けする。そして、上記各区画に対応する底板上の仮想位置おいて、予め個々に色分けした複数のアクリル樹脂製サイコロ状地質表示物を、順次積み重ね、最後に枡状物の開口部を天板（アクリル板）で覆ってケーシングを形成することにより、所望の地質状態立体表示物を得ることができる。
【実施例】
【００４７】
以下、本発明を実施例に更に詳細に説明するが、本発明は本実施例により何ら限定されるものではない。
（実施例１）
油槽所跡地の一角における縦９０ｍ、横８０ｍの土地において、９箇所の地質調査点ａ〜ｉを決定した上で、各調査点において０．５ｍ間隔で５．０ｍまで、測定試料となる土壌を採取し、各土壌試料におけるベンゼンの土壌溶出量を、土壌汚染対策法に規定されている方法に準じて、クロマトグラフィーにより測定した。結果を表１に示す。
【００４８】
【表１】
2010122293.tif 000003
【００４９】
次に、ケーシング予備成形物として、厚さ５ｍｍのアクリル板を接着剤により貼り合わせ、内部寸法が縦９ｃｍ、横８ｃｍ、高さ１０ｃｍであり、主表面の一方が開口している枡形の容器を作成し、別途、天板に相当する、縦９ｃｍ、横８ｃｍ、厚さ５ｍｍの天板を用意した。
【００５０】
上記天板の角部には、方角を表示する記号として、図６（ａ）に示す形状を有する縦横の長さがともに１ｃｍ程度の記号を刻印した。
【００５１】
図８（ａ）に、上記天板２の概略図を示す。天板２上には、地質調査点ａ〜ｉに対応する点が付されており、天板２の縦方向の長さ（９ｃｍ）は、上記土地の縦方向の長さ（９０ｍ）に相当し、天板２の横方向の長さ（８ｃｍ）は、上記土地の横方向の長さ（８０ｍ）に対応する。そして、図８（ｂ）に示すように、上記天板２において、縦横をともに１ｃｍ間隔で区分けすることにより、上記９箇所の地質調査点に対応する点の何れか１箇所以上を有する区画Ｉ〜区画VIIIを規定した。すなわち、地質調査点ａに対応する点を有する区画Ｉ、地質調査点ｂおよび調査点ｃに対応する点を有する区画II、地質調査点ｄに対応する点を有する区画III、地質調査点ｅに対応する点を有する区画IV、地質調査点ｆに対応する点を有する区画Ｖ、地質調査点ｇに対応する点を有する区画VI、地質調査点ｈに対応する点を有する区画VII、地質調査点ｉに対応する点を有する区画VIIIを規定した。区画Ｉ〜区画VIIIにおける縦方向および横方向の長さ１ｃｍが、上記土地における１０ｍの長さに相当する。
【００５２】
また、サイコロ状地質表示物として、縦、横、高さがいずれも１ｃｍであるアクリル樹脂製サイコロ状成形物を用意した。このアクリル樹脂製サイコロ状成形物は、上記ケーシング予備成形物内部に配置されたときに、縦方向および横方向の長さ１ｃｍが、上記土地における１０ｍの長さに相当し、高さ方向の長さ１ｃｍが、上記土地における０．５ｍの深さに相当する。
【００５３】
上記サイコロ状地質表示物としては、ベンゼン土壌溶出量が０．１０ｍｇ／Ｌ以上であり、土壌浄化工事が必要な区画を表示するものとして、「赤色」に着色された半透明状のものを用意し、ベンゼン土壌溶出量が０．０１ｍｇ／Ｌ以上０．１０ｍｇ／Ｌ未満であり、土壌浄化工事は必要ないが管理を要する区画を表示するものとして、「黄色」に着色された半透明状のものを用意し、ベンゼン土壌溶出量が０．０１ｍｇ／Ｌ未満であり、土壌浄化工事の必要ない区画を表示するものとして、「無色（無着色）」である半透明状のものを用意した。表２に、表１で得られた結果を基に、サイコロ状地質表示物の色を分類した結果を示す。
【００５４】
なお、地質調査点ｃの深さ０〜０．５ｍ測定結果は、ベンゼン土壌溶出量が０．００５ｍｇ／Ｌであって、この結果のみから判断すると、区画IIの地下０〜０．５ｍの欄は「無色」になるはずであるが、地質調査点ｂの深さ０〜０．５ｍにおけるベンゼン土壌溶出量が０．０１ｍｇ／Ｌであることから、より厳しい結果（よりベンゼン土壌溶出量の多い分析結果）を採用して、区画IIの地下０〜０．５ｍの欄は「黄色」とした。
【００５５】
【表２】
2010122293.tif 000004
【００５６】
表２に示す結果に基づいて、図８（ｃ）に示すような、区画Ｉ〜区画VIIIに対応する底板４上の仮想位置において、順次各サイコロ状地質表示物を配置して、積み重ねた。
【００５７】
また、ケーシングの予備成形物内部において、上記各サイコロ地質表示物が移動しないように、アクリル板を用いて、適宜間仕切りを設けた。
【００５８】
上記サイコロ状予備成形物の配置終了後、ケーシング予備成形物の開口部に上記天板２を接着剤により固定することにより、ケーシングをなし、目的とする地質状態立体表示物を得た。
【００５９】
得られた地質状態立体表示物は、ケーシングとサイコロ状地質表示物からなることにより、多数枚の図面を必要とせず、その携帯性が向上したものであった。また、上記ケーシングおよびサイコロ状地質表示物を透明または半透明なものにより構成し、上記サイコロ状地質表示物を地質の程度に応じて予め個々に色分けした上で、地質調査結果に対応するようにケーシング内に配置することにより、地質状態の全体像を容易に把握することができるものであった。
【００６０】
得られた地質状態立体表示物には、土壌浄化工事が必要となる赤色のサイコロ状地質表示物が含まれていなかったことから、土壌浄化等の地質改良工事は必要ないと判断したが、仮に土壌浄化工事が必要である場合には、得られた地質状態立体表示物を用いて、施工時に地質調査結果を容易に視認することができる。
【産業上の利用可能性】
【００６１】
本発明によれば、地質状態の全体像を容易に把握することができ、多数枚の図面を必要とせず、携帯性に優れ、地質調査結果を施工時に容易に視認し得る地質状態の表示物を提供することができる。
【図面の簡単な説明】
【００６２】
【図１】本発明の地質状態立体表示物を構成するケーシングおよびサイコロ状地質表示物の例である。
【図２】本発明の地質状態立体表示物において、天板２上に規定される区画を説明するための図である。
【図３】本発明の地質状態立体表示物において、サイコロ状地質表示物の使用例を説明するための図である。
【図４】本発明の地質状態立体表示物において、ケーシング内へのサイコロ状地質表示物の配置例を示す図である。
【図５】本発明の地質状態立体表示物において、天板上に記号が付された例を示す図である。
【図６】本発明の地質状態立体表示物において、天板上に付される記号例を示す図である
【図７】本発明の地質状態立体表示物の例を示す図である。
【図８】本発明の地質状態立体表示物の作製例を説明するための図である。
【図９】地質状態を示す従来の図面例である。
【符号の説明】
【００６３】
１        ケーシング
２        天板
３、３’  サイコロ状地質表示物
４        底板
５        記号
６        地質状態立体表示物
【図１】
2010122293.tif 000005
【図２】
2010122293.tif 000006
【図３】
2010122293.tif 000007
【図４】
2010122293.tif 000008
【図５】
2010122293.tif 000009
【図６】
2010122293.tif 000010
【図７】
2010122293.tif 000011
【図８】
2010122293.tif 000012
【図９】
2010122293.tif 000013